(57)【特許請求の範囲】
【請求項１】
収容部に収容されたマグネット棒付き板材によって、収容部内を通過する磁性体異物を除去する装置において、
マグネット棒付き板材にはマグネット棒より長いガイド棒がマグネット棒と平行に張りだしており、
ガイド棒は、側面の少なくとも一部に凹部又は鍔を先端近傍に有しており、
収容部にはガイド板が設けられており、ガイド板にはガイド棒を出し入れ可能な位置に貫通孔が設けられており、
マグネット棒付き板材を収容部から水平方向に引きだした際、ガイド棒の凹部又は鍔が貫通孔に引っ掛かり、板材と収容部との一体性を保つ、マグネット棒付き板材の脱落防止機構。
【請求項２】
ガイド棒は、側面のうち、板材を引き出す際に鉛直方向下側にくる面に凹部を形成しており、
該凹部においてガイド棒の先端から遠い側の段差は、ガイド棒を押し込みやすいように鈍角をなして滑らかに加工されており、凹部においてガイド棒の先端に近い側の段差は、ガイド棒の抜けを防止するために略直角に加工されている請求項１に記載のマグネット棒付き板材の脱落防止機構。
【請求項３】
ガイド棒は、側面のうち、板材を引き出す際に鉛直方向下側にくる面に底面が平坦な凹部を形成しており、
ガイド板における貫通孔は、内壁面のうちガイド棒における凹部と嵌め合う部分が平坦である請求項１又は請求項２に記載のマグネット棒付き板材の脱落防止機構。
【請求項４】
収容部は、ガイド棒を収納する筒を備えている請求項１乃至請求項３のいずれかに記載のマグネット棒付き板材の脱落防止機構。
【請求項５】
請求項１乃至請求項４のいずれかに記載のマグネット棒付き板材の脱落防止機構を備えたマグネットユニット。
【請求項６】
請求項１乃至請求項４のいずれかに記載のマグネット棒付き板材の脱落防止機構を備えた粉粒体処理装置。
【発明の詳細な説明】
【技術分野】
【０００１】
本発明は、磁性体異物除去装置における板材の脱落防止機構に関するものである。
【背景技術】
【０００２】
各種の粉粒体を扱う工場施設においては、粉粒体を配送する配管の途中や装置の一部にマグネット部材を含むユニットを組み込むことで、粉粒体を強制的にマグネット部材と接触させ、粉粒体中に紛れ込んだ鉄粉（片）等の磁性体異物を除去することが行われる（例えば、特許文献１または特許文献２を参照されたい）。
【０００３】
通常、マグネット部材を含むユニットは、適宜、マグネット部材を引き出して付着した磁性体異物を除去するメンテナンス作業が必要となる。
【先行技術文献】
【特許文献】
【０００４】
【特許文献１】特開平１１−１３８０４６号公報
【特許文献２】特開２００４−０１６９３７号公報
【発明の概要】
【発明が解決しようとする課題】
【０００５】
しかしながら、マグネット部材が板材に取り付けられており、収容部から横方向に引き出す場合、マグネット部材は重いことが多いので、板材が収容部から完全に抜けた状態では、作業員の負担が重く、また、重心位置の問題で板材全体が倒れ開口部フランジにマグネットが干渉し引きだし難くなるほか、マグネット部材の先端部等が床に付いてしまい、取り払って床に落ちた磁性体異物の再吸着の虞や、床の予期しない異物の吸着も起こりうる。このため、マグネット部材の先端部付近の清掃点検は常に板材を立てた状態で保持して行う必要が生じ、一人で清掃作業をする場合、作業が非効率となる。マグネット部材付き板材の落下に対する安全性を向上させる必要もある。
【０００６】
そこで、本発明では、マグネット部材の清掃点検の作業効率、安全性を向上したマグネットユニットを提供することを目的とする。
【課題を解決するための手段】
【０００７】
上記諸課題に鑑み、本発明は、収容部に収容されたマグネット棒付き板材によって、収容部内を通過する磁性体異物を除去する装置において、マグネット棒付き板材にはマグネット棒より長いガイド棒がマグネット棒と平行に張りだしており、ガイド棒は、側面の少なくとも一部に凹部又は鍔を先端近傍に有しており、収容部にはガイド板が設けられており、ガイド板にはガイド棒を出し入れ可能な位置に貫通孔が設けられており、マグネット棒付き板材を収容部から水平方向に引きだした際、ガイド棒の凹部又は鍔が貫通孔に引っ掛かり、板材と収容部との一体性を保つ、マグネット棒付き板材の脱落防止機構である。本構成により、マグネット棒が収容部から完全に抜け出た状態でもガイド棒の凹部又は鍔は貫通孔に引っ掛かったまま維持されるので、板材の姿勢がガイド棒によって支持され、マグネット棒を略水平姿勢に保持した状態で衛生的かつ簡便に清掃点検することができる。
【０００８】
ガイド棒が、板材を引き出す際に鉛直方向下側にくる面に凹部を形成している場合、ガイド棒の凹部における先端から遠い側の段差は、鈍角をなして滑らかに加工されていることが好ましく、凹部においてガイド棒の先端に近い側の段差は、略直角に加工されていることが好ましい。本構成により、板材を収容部に収める際には板材を収容部に向けて横方向に押し込むだけでガイド棒も比較的スムースに押し込まれるので、ガイド棒の凹部がガイド板の貫通孔を乗り越えられるように板材を持ち上げながら押し込む必要がなくなる一方、板材を収容部から引き出す際にはガイド棒の凹部の略直角に加工された段差の位置で貫通孔に引っ掛かるので、凹部の段差が貫通孔を乗り越えることが妨げられ、ガイド棒が貫通孔から抜けきるのを確実に防止することができる。
【０００９】
ガイド棒が、板材を引き出す際に鉛直方向下側にくる面に底面が平坦な凹部を形成している場合、ガイド板における貫通孔は、内壁面のうちガイド棒における凹部と嵌め合う部分が平坦であることが好ましい。本構成により、凹部の底面と貫通孔内壁面との接触面積の増大による摩擦効果が加わって、ガイド棒が貫通孔から抜けきるのをより確実に防止することができる。
【００１０】
収容部は、ガイド棒を収納する筒を備えていることが好ましい。本構成により、ガイド棒の水平方向へのスムースな進退が可能になる。
【００１１】
本発明のもう１つの側面は、上述したマグネット棒付き板材の脱落防止機構を備えたマグネットユニットである。
【００１２】
本発明のもう１つの側面は、上述したマグネット棒付き板材の脱落防止機構を備えた粉体処理装置である。
【発明の効果】
【００１３】
本発明によれば、マグネット棒付き板材を引き出してマグネット棒を露出した際に板材と収容部と一体のまま保持されるので、マグネット棒を略水平姿勢に保持した状態で衛生的かつ簡便に清掃点検することができるとともに安全性を向上させたマグネットユニットを提供でき、各種産業に与える工業的利用価値は極めて大である。
【図面の簡単な説明】
【００１４】
【図１】本発明の第１実施形態のマグネットユニットの平面図である。
【図２】図１のマグネットユニットのＡ−Ａ断面図である。
【図３】本発明の第１実施形態のマグネットユニットの右側面図である。
【図４】本発明の第１実施形態のマグネット棒付き板材の正面図である。
【図５】（ａ）は、本発明の第１実施形態の収容部の正面図、（ｂ）は同正面図である。
【図６】本発明の第１実施形態のガイド棒の（ａ）側面図、及び（ｂ）Ｂ−Ｂ断面図である。
【図７】本発明の第１実施形態のマグネット棒付き板材を収容部から引き出した状態の右側面図である。
【図８】本発明の第２実施形態のマグネットユニットの右側面図である。
【発明を実施するための形態】
【００１５】
（第１実施形態）
以下、本発明の実施形態について図面を参照して説明する。
図１、図２及び図３に示すように、第１実施形態のマグネットユニット１は、おもて面に把手２、うら面にマグネット棒４を備えたマグネット棒付き板材３（以下、板材３と略す）と、板材３についたマグネット棒４を収容する収容部５とから構成される。
【００１６】
収容部５は、概ね直方体形状の収容空間５ａを備え、粉粒体が通過する収容部上面開口６及び収容部下面開口７と板材３が出し入れされる面８を設けている。粉粒体が通過する収容部上面開口６及び収容部下面開口７は、それぞれ四方に上面フランジ１１及び下面フランジ１２で包囲されており、上面及び下面フランジ１１，１２が図示しない配管や装置に形成したフランジと重なり合うことで、配管の途中に介在させ、又は、装置の一部として組み込むことができるようになっている。上面及び下面フランジ１１，１２には接合のための貫通孔１１ａ，１２ａが形成されている。板材３が出し入れされる面８の開口である板材側開口１３の上下には一対の上下板１４、左右には一対のガイド板１５が形成されている。ここでは、上下板１４とガイド板１５はフレーム形状で一体に形成されている。左右のガイド板１５の上下端部は上面フランジ１１及び下面フランジ１２に接合し固定されている。ガイド板１５の主面は、板材３の主面と平行であり、後述する筒１８とガイド棒３１の軸方向と直交する。図５（ａ）に示す通り、左右一対のガイド板１５の所定位置（ここでは上部）には、各々、貫通孔１７が開けられている。この貫通孔１７は、概ね半月盆の形状に開けられており、本実施形態では上半分が半円形で下半分が下辺より上辺の長い台形の形状に開けられている。貫通孔１７の周囲には内壁面１９がある。
【００１７】
さらに、左右ガイド板１５の側方には、ハンドル１６を板材手前から左右ガイド板１５の側方まで水平方向に９０度回動可能なトグルクランプ９が設置され、ハンドル１６を板材手前に引くことで板材３をおもて面から上下板１４及び左右ガイド板１５に押圧固定する一方、ハンドル１６を左右に開くことで板材３のおもて面への押圧を解除し板材３を引き出すことができる。トグルクランプ９は基板９ａに取り付けられている。
【００１８】
平面視で収容部５の上面フランジ１１に隠れる位置には、左右ガイド板１５の貫通孔１７の中心軸とほぼ同軸上に筒１８が据え付けられている。この筒１８は一対のフランジ１８ａによって両端部が固定され水平状態となっている。筒１８の内径（直径）は、貫通孔１７の開口径より一回り大きく、筒１８の長さは、収容部５の側方最後端付近から収容部５の中間点より手前まで延びる長さとしている。
【００１９】
図２、図３及び図４に示すように、正面視で、板材３は、収容部５の板材側開口１３、上下板１４及び左右ガイド板１５を覆うことができる大きさの板状基材２１にマグネット棒４の一端を面に直交して固定したものである。マグネット棒付き板材３のうら面には長方形状のパッキン２２が貼付され、パッキン２２が収容部５の上下板１４及び左右ガイド板１５と当接し気密性を確保することができる。パッキン２２の上には収容部５の板材側開口１３を塞ぐことができる大きさのインロー２３が積層されている。マグネット棒４は、パッキン２２を上下半分に分割する仮想線に対して上下互い違いになる位置に所定の間隔をおいて５本配置され、おもて面側においてマグネットベース２５で一端を固定され、板状基材２１、パッキン２２及びインロー２３を貫通してうら面側において垂直に延びている。ここでマグネット棒４としては、円柱状で所定の表面磁力の磁石を使用している。
【００２０】
板材３は、さらに、ガイド棒３１を備える。ガイド棒３１は概ね円柱形状を有し、先端部３４が円錐台形状に先細りしている。ガイド棒３１は、板材３のうら面において、溶接又は締結部材によって固定されており、そこを起端として先端部３４に向かってマグネット棒４と平行に、かつマグネット棒４より長く延びている。ガイド棒３１は、収容部５の左右ガイド板１５の貫通孔１７に挿入可能な位置に差込まれ、板材３が収容部５に完全に収容された状態では、ガイド棒３１は筒１８に収納されている。この状態では、貫通孔１７の周囲のガイド板１５と筒１８に支持されている。
【００２１】
図３及び図６に示すように、ガイド棒３１は、先端近傍において軸方向に沿って所定の長さ及び幅だけ側周壁面３３が一部くり抜かれて凹部３５を形成している。ここで凹部３５が形成されるのは、ガイド棒３１の側周壁面３３において、板材３を引き出して清掃点検を行う際に鉛直方向下側にくる面である。本実施形態では、収容部５の収容部下面開口７が鉛直方向下側にくるように載置して清掃点検を行うことを想定して、ガイド棒３１の側周壁面３３のうち、下面フランジ１２に最も近い側の部分を軸方向に沿って一部えぐり取って凹部３５を形成している。
【００２２】
図６に示すように、ガイド棒３１の凹部３５は、底面が平坦であり、板材３が出し入れされる面８を正面、収容部上面開口６を平面とした側面視で概ね略台形状である。即ち、凹部３５の段差のうち、ガイド棒３１の根元に近い方の段差３７は、側面視で概ね鈍角をなすようにカドを落とし滑らかに切削加工され、ガイド棒３１の凹部３５におけるガイド棒３１の先端に近い側の段差３９は、側面視で略直角（又は９０°よりやや鋭角）に加工されている。
【００２３】
機能作用について以下に説明する。
粉体中の磁性異物除去の稼働中は、磁性異物をマグネット４の表面に磁力で吸着させる。マグネット棒４の清掃点検作業を始める段階では、図３に示す通り、板材３が収容部５に完全に収容されている。この状態では、左右一対のトグルクランプ９のハンドル１６が板材３の手前に来ている。このハンドル１６を左右に開くことで板材３のおもて面の上下板１４及び左右のガイド板１５への押圧を解除する。次に、板材３のおもて面にある把手２を掴み、収容部５から引き出すにつれて、板材３は収容部５の手前空間に移動し、一対のガイド棒３１の側周壁面３３は、左右ガイド板１５の貫通孔１７の下側の平坦な内壁面１９と略線接触した状態で擦れ合いながら筒１８内を移動する。ガイド棒３１の側周壁面３３は貫通孔１７の下辺に当接した状態である。
【００２４】
このとき、板状基材２１の自重によって、ガイド棒３１は、先端部３４に向かってやや斜め上に傾斜する方向に力が働くが、先端部３４が筒１８の内壁上側２６に当たり上から押さえられることで、板状基材２１は過度に傾斜姿勢（上端が下端に対してより手前にくる）になることなく保たれる。さらに、板材３を引き出すと、先端部３４が筒１８から離脱し、前記の接触状態での面以外は浮いた状態となった状態で板材３が引き出される。
【００２５】
さらに板材３を引き出すと、ガイド棒３１における貫通孔１７下部との当接部分は、滑らかに切削加工された段差３７を通過して凹部３５の底面にまで達する。そして、図７に示す通り、当接部分が側面視で略直角の段差３９まで達したところで、貫通孔１７の内壁面１９とガイド板１５の裏面とがなすカド部に凹部３５の段差３９が引っ掛かった状態となり、ガイド棒３１はそれ以上手前に引き出せなくなる。これとともに、板状基材２１がやや傾斜した姿勢から正常な姿勢に戻り、板材３と収容部５との一体性が保たれた状態となる。この状態でマグネット棒４の表面に吸着された磁性異物を清掃によって除去する。適宜、点検も行う。
【００２６】
マグネット棒の清掃点検作業を終了し、板材３を収容部５に押し込む際には上記と逆の動きとなるが、ガイド板１５の厚さ分の段差を乗り越える際に、ガイド棒３１の根元に近い方の段差３７は、側面視で概ね鈍角をなすようにカドを落とし滑らかに切削加工されているので、板状基材２１を若干持ち上げながら押し込む程度で円滑に前進させることができる。
【００２７】
上記実施形態により、板材３を収容部５から横方向に引き出す場合、マグネット棒４が重くても、引き出しが容易である。マグネット棒付き板材３が収容部５から完全に抜けた状態でも、作業員の負担が軽減され、また、重心位置の問題で板材全体が倒れても、開口部フランジにマグネット棒４が干渉し難くなるほか、マグネット棒４の先端部等が床に付くことを防止でき、取り払って床に落ちた磁性体異物の再吸着の虞を防止し、床の予期しない異物の吸着も防止できる。図７に示す通り、貫通孔１７の内壁面１９に凹部３５の段差３９が引っ掛かった状態となるので、一人で清掃作業をする場合でも、作業が効率的であるとともに、安全性が高くなる。
【００２８】
上記板材３の脱落防止機構を備えたマグネットユニット１は、各種の粉粒体処理装置の配管や装置の一部として組み込み可能である。
【００２９】
（第２実施形態）
図８に示すように、第２の実施形態のマグネットユニット１０では、筒４８の中心軸がガイド棒３１の中心軸より低い位置となるようにし、かつガイド棒３１の凹部３５が貫通孔４７に引っ掛かった状態においてもガイド棒３１の先端部３４が筒４８に隠れる状態となるように筒４８を左右ガイド板１５近くまで延長した点で第１の実施形態と異なる。本構成を採用することで、板材３を引きだした際に板材３が大きく前傾する虞がある場合（例えば、地上の所定の高さにマグネットユニットがある場合）でも、ガイド棒３１の先端部３４が筒４８の内壁上側４６に接触することで、板材基材の過度の前傾が抑制され、貫通孔４７の内壁面１９とガイド板１５の裏面とがなすカド部に凹部３５の段差３９が引っ掛かった状態を保持してガイド棒３１の貫通孔１７からのすり抜けを防止する。このような筒１８とガイド棒３１に形成された凹部３５との協働により、配管や装置に収容部５が取り付けられた状態で板状基材２１を引き出し清掃点検作業をする場合にも板材３の脱落をより確実に防止することができ、好適となる。
【００３０】
（第３実施形態）
第３の実施形態のマグネットユニットでは、ガイド棒３１の側周壁面３３に鍔が取り付けられている。ここで鍔の直径は、貫通孔の直径より大きい。したがって板材３を引き出すと、貫通孔１７の内壁面１９とガイド板１５の裏面とがなすカド部に鍔が引っ掛かった状態となり、ガイド棒３１はそれ以上手前に引き出せなくなる。それ以外の機能作用は第１の実施形態と同様であるので割愛する。
【００３１】
本発明は、上述の実施の形態に限定されるものではなく、本発明の技術的思想を逸脱しない範囲において、改良、変更、追加等を加えることができる。それらの改変、均等物等も本発明の技術的範囲に含まれる。例えば、第１の実施形態において、収容部５は配管や装置から独立して取り外せるマグネットユニット１としたが、収容部５が配管や装置そのものであって取り外せないものであってもよい。また、板材側開口１３の左右ガイド板１５をガイド板として利用したが、収容部５の内外の任意の位置にガイド板を別途設けてもよい。また、貫通孔１７の形状を概ね半月盆の形状としたが、これに限定されず、単純な円形や、三角形、四角形のいずれであってもよい。さらに、ガイド棒３１の側周壁面３３が角柱状であってもよい。
【符号の説明】
【００３２】
１、１０  マグネットユニット
２  把手
３  板材
４  マグネット棒
５  収容部
５ａ  収容空間
６  収容部上面開口
７  収容部下面開口
８  面
９  トグルクランプ
９ａ  基板
１１  上面フランジ
１１ａ  貫通孔
１２  下面フランジ
１２ａ  貫通孔
１３  板材側開口
１４  上下板
１５  ガイド板
１６  ハンドル
１７、４７  貫通孔
１８、４８  筒
１９  内壁面
２１  板状基材
２２  パッキン
２３  インロー
２５  マグネットベース
２６、４６  内壁上側
３１  ガイド棒
３３  側周壁面
３４  先端部
３５  凹部
３７  段差
３９  段差
【図１】
0006035276.tif 000002
【図２】
0006035276.tif 000003
【図３】
0006035276.tif 000004
【図４】
0006035276.tif 000005
【図５】
0006035276.tif 000006
【図６】
0006035276.tif 000007
【図７】
0006035276.tif 000008
【図８】
0006035276.tif 000009